(57)【要約】【課題】  充電台の設置方法にかかわらず携帯型情報読取端末を確実に充電することができる携帯型情報読取装置を提供する。【解決手段】  充電台１には吸着部２９が設けられており、この吸着部２９は、弾性体３１により移動可能に充電台１に支持されている。携帯型バーコードリーダ２の裏面には強磁性体の金属板からなる被吸着部３２が設けられている。充電台１のセット位置に携帯型バーコードリーダ２を載置すると、吸着部２９が被吸着部３２に吸着する。これにより、充電台１の充電用端子４が携帯型バーコードリーダ２に強く接触するので、携帯型バーコードリーダ２を確実に充電することができる。このとき、携帯型バーコードリーダ２に設けられた係合部２６が充電台１に設けられた係合受部２７に強く押し付けられるので、充電台１に対する携帯型バーコードリーダ２の保持力を高めることができる。【選択図】  図１
2006246566.tif 000002
【特許請求の範囲】
【請求項１】
内部に回路部を有すると共に手で把持可能な長尺形状の本体部と、この本体部の前端に設けられた読取口部とを備え、前記読取口部を読取対象に対向させた状態で読取操作が行われる携帯型情報読取端末と、
前記携帯型情報読取端末が載置可能な長尺形状をなし、前記携帯型情報読取端末がセット位置に載置された状態で、充電用端子の接触により前記携帯型情報読取端末に充電する充電台とを備えた携帯型情報読取装置において、
前記携帯型情報読取端末は、
前記読取口部の前記充電台と接する側の面に設けられた係合部と、
前記本体部に設けられた強磁性体からなる被吸着部とを備え、
前記充電台は、
前記セット位置に載置された前記携帯型情報読取端末の係合部を受ける係合受部と、
前記セット位置に載置された前記携帯型情報読取端末の被吸着部を引き付ける磁力を発生する移動可能な強磁性体からなる吸着部とを備え、
前記携帯型情報読取端末が前記充電台のセット位置に載置された状態では、前記吸着部が前記被吸着部を引き付けることにより、前記携帯型情報読取端末に対する前記充電用端子の接触力を増大させることを特徴とする携帯型情報読取装置。
【請求項２】
前記吸着部は、弾性体により充電台内への押し込み力が付与された状態で前記充電台に移動可能に支持され、
前記携帯型情報読取端末が前記充電台のセット位置に載置された状態では、前記吸着部が前記被吸着部の表面に倣って密着し、前記押し込み力に相当する力で吸着することを特徴とする請求項１記載の携帯型情報読取装置。
【請求項３】
前記吸着部と前記被吸着部は、少なくとも一方が永久磁石を含んで構成されていることを特徴とする請求項１または２記載の携帯型情報読取装置。
【請求項４】
前記吸着部と前記被吸着部は、前記係合受部と前記係合部との係合が外れないように設けられていることを特徴とする請求項１ないし３の何れかに記載の携帯型情報読取装置。
【請求項５】
前記被吸着部は、保磁力が小さな材質からなることを特徴とする請求項１ないし４の何れかに記載の携帯型情報読取装置。
【請求項６】
前記吸着部は、さらに前記充電台の内部に形成された空間部に前記充電台の長手方向に沿って移動可能に配設されていることを特徴とする請求項１ないし５記載の携帯型情報読取装置。
【請求項７】
前記空間部に配置され、前記吸着部が前記充電台の後端側に移動するのに伴って弾性圧縮する弾性圧縮手段と、
前記携帯型情報読取端末が前記充電台のセット位置に載置された状態では、前記携帯型情報読取端末の後端側を前記充電台に引掛ける引掛手段とを備えたことを特徴とする請求項６記載の携帯型情報読取装置。
【請求項８】
前記携帯型情報読取端末は、内部に撮像手段を備え、前記読取口部を通じて前記撮像手段に光学情報を撮像する携帯型光学情報読取端末であることを特徴とする請求項１ないし７の何れかに記載の携帯型情報読取装置。
【請求項９】
前記携帯型読取情報端末は、前記読取口部にアンテナを有した携帯型非接触読取端末であることを特徴とする請求項１ないし７の何れかに記載の携帯型情報読取装置。
【発明の詳細な説明】
【技術分野】
【０００１】
本発明は、充電台のセット位置に載置された携帯型情報読取端末を充電用端子の接触により充電する携帯型情報読取装置に関する。
【背景技術】
【０００２】
例えばコンビニエンスストアの店員或いは流通業者など携帯型情報読取端末でバーコードに印刷された光学情報を読取るような使用環境では、携帯型情報読取端末に充電する必要があるため、非使用時には携帯型情報読取端末を充電台のセット位置に載置するようにしている。
特許文献１のものでは、バーコード読取端末の充電台を水平に設置し、その充電台にバーコード読取端末を載置することにより、バーコード読取端末に充電する方法が示されている。
【特許文献１】特開２００１−１３４７０９号公報
【発明の開示】
【発明が解決しようとする課題】
【０００３】
しかしながら、特許文献１のように充電台を水平に設置するものでは、充電台を置くスペースが必要である。また、バーコード読取端末は充電台に載置されているだけであるので、バーコード読取端末と充電台の充電用端子との間の導通が不安定となる虞があり、このような場合は、バーコード読取端末を確実に充電できないという事態を生じることになる。
一方、充電台を壁掛けして垂直方向を指向するように設置した場合、充電台を置くスペースは削減することができるものの、バーコード読取端末と充電台の充電用端子との間との接触が一層不安定となることは避けられない。
【０００４】
本発明は上記事情に鑑みてなされたもので、その目的は、充電台の設置方法にかかわらず携帯型情報読取端末を確実に充電することができる携帯型情報読取装置を提供することにある。
【課題を解決するための手段】
【０００５】
携帯型情報読取端末を水平に設置された充電台のセット位置に載置すると、携帯型情報読取端末が充電台の充電用端子に接触するので、充電用端子を通じて携帯型情報読取端末に充電することができる。ここで、携帯型情報読取端末を充電台にセットした状態では、充電台の吸着部が携帯型情報読取端末の被吸着部を引き付けるので、携帯型情報読取端末は充電台のセット位置に保持される。これにより、充電用端子が携帯型情報読取端末に強く接触するので、携帯型情報読取端末を確実に充電することができる。
【０００６】
一方、充電台を壁掛けした場合、携帯型情報読取端末を充電台のセット位置に載置した状態では、携帯型情報読取端末の係合部が充電台の係合受部に引掛かった状態で、充電台の吸着部が携帯型情報読取端末の被吸着部を引き付けるようになる。この場合、充電台の吸着部は移動可能であるので、吸着部は被吸着部に対する引き付け状態が安定するように移動する。これにより、携帯型情報読取端末を充電台のセット位置に安定して保持することができるので、携帯型情報読取端末に対する充電用端子の接触力が増大し、携帯型情報読取端末を確実に充電することができる。
【０００７】
請求項２の発明によれば、充電台の吸着部は弾性体により充電台内への押し込み力が付与されているので、充電台の吸着部が携帯型情報読取端末の被吸着部を引き付けると、吸着部が弾性体の弾性力に抗して押し込み力に相当する力で被吸着部に吸着する。このとき、吸着部は移動可能であるので、吸着部に対して被吸着部が傾いている場合であっても、吸着部が被吸着部の表面に倣って吸着する。これにより、吸着部が被吸着部に密着して吸着するので、充電台に対する携帯型情報読取端末の保持力を高めることができる。
【０００８】
請求項３の発明によれば、被吸着部或いは吸着部の構成を簡単化することができるので、コストの低減を図ることができる。
請求項４の発明によれば、携帯型情報読取端末が充電台のセット位置に載置された状態では、係合受部と係合部との係合が外れないので、携帯型情報読取端末に比較的大きな力が作用するにしても、携帯型情報読取端末が充電台から外れてしまうことを防止できる。
【０００９】
請求項５の発明によれば、被吸着部に磁力が作用するにしても、被吸着部が磁化してしまうことを極力回避することができる。
請求項６の発明によれば、吸着部が被吸着部を引き付けた状態で携帯型情報読取端末をスライド移動することができるので、携帯型情報読取端末をセット位置にスライド移動することにより係合受部に対して係合部を確実に引掛けることができる。
【００１０】
請求項７の発明によれば、吸着部が被吸着部を引き付けた状態で、携帯型情報読取端末を充電台のセット位置にスライド移動しようとすると、弾性圧縮手段が吸着部を反対方向に付勢するので、その付勢力に抗してセット位置にスライド移動する。すると、引掛手段により携帯型情報読取端末の後端が充電台に引掛けられるので、その引掛け状態では、携帯型情報読取端末をセット位置に確実に保持することができる。これにより、携帯型情報読取端末に大きな力が作用するにしても、携帯型情報読取端末が充電台から外れてしまうことを防止できる。
【００１１】
請求項８の発明によれば、本発明を携帯型光学情報読取端末に適用することができる。
請求項９の発明によれば、本発明を読取口部にアンテナを有した携帯型非接触情報読取端末に適用することができる。
【発明を実施するための最良の形態】
【００１２】
（第１実施例）
以下、本発明を携帯型バーコードリーダに適用した第１実施例について図１ないし図９を参照して説明する。
図１は携帯型バーコードリーダが充電台に載置された状態を示す側面図、図２はその正面図である。これらの図１及び図２において、充電台１は長尺形状をなし、その長手方向が垂直方向を指向するように壁に設置されている。この充電台１のセット位置には携帯型バーコードリーダ（携帯型情報読取端末に相当）２が載置されており、その載置状態で商用交流電源３（図３参照）からの給電に応じて携帯型バーコードリーダ２に充電するようになっている。つまり、充電台１及び携帯型バーコードリーダ２には充電用端子４、受電用電極５（図３参照）がそれぞれ設けられおり、充電台１のセット位置に携帯型バーコードリーダ２が載置された状態では、それらの充電用端子４及び受電用電極５同士が導通接触することにより携帯型バーコードリーダに充電が行われるようになっている。
また、充電台１及び携帯型バーコードリーダ２には光通信機能が設けられており、充電台１のセット位置に携帯型バーコードリーダ２が載置された状態で当該携帯型バーコードリーダ２に記憶された読取情報が光通信により充電台１側に送信可能となっている。
【００１３】
図４は、携帯型バーコードリーダ２の構成を概略的に示している。この図４において、携帯型バーコードリーダ２は、ケース６内に、カタログや伝票、商品ラベル等の読取対象に記録された例えばＱＲコード（登録商標）等の二次元コードを読取るための読取部７や制御部８（図３参照）等を組込んで構成されている。制御部８は、マイクロコンピュータを中心として構成され、システム全体の制御を行うと共に、読取部７による撮影画像データから二次元コードの読取処理（デコード処理）等を行う処理手段として機能するようになっている。
【００１４】
ケース６は、手で把持し易い形状に形成された本体部６ａの先端側が傾斜するように折曲形成され、その先端部分が読取口部６ｂとされている。このケース６の上面部には、複数のキースイッチ９ａからなるキー入力部９が設けられ、使用者が読取プログラムを選択設定したり、コード種類を指定したりすることができるようになっている。
【００１５】
ケース６の側面部には、読取指示用のトリガスイッチ１０（図２参照）が設けられている。このトリガスイッチ１０は、例えば２段階での押圧操作が可能とされ、第１段の押圧操作（いわゆる半押し状態）で、ガイド光の照射動作が実行され、第２段の押圧操作で読取動作が実行されるようになっている。
ケース６の上面部には、例えばＬＣＤからなる表示部１１が設けられている。キースイッチ９ａや表示部１１等は、ケース６内に配設されたプリント基板１２に実装されており、このプリント基板１２には制御部８等も実装されている。
【００１６】
読取部７は、例えばＣＣＤ撮像素子からなる撮像手段としてのエリアセンサ（撮像手段に相当）１３、このエリアセンサ１３の前部に位置する撮像レンズ１４、コード読取時の照明光源となる複数個の照明用ＬＥＤ１５及びその前部に位置する照明用レンズ１６等を備えて構成される。撮像レンズ１４は読取部７の中心部に配置され、複数個の照明用レンズ１６がその周囲に配置されている。
【００１７】
以上のような構成により、読取口部６ｂを、例えばＱＲコード（バーコードも可能）が記録された読取対象（伝票、ラベル、カタログ等）に近接させた状態で、読取操作、つまりトリガスイッチ１０のオン操作を行うことにより、照明用ＬＥＤ１５により読取対象に照明がなされた状態で、エリアセンサ１３により読取対象の画像の取込み（撮像）がなされる。そして、その撮影画像のデータから、制御部８によりＱＲコードの読取り（デコード）の処理が行われるようになっている。
【００１８】
図３は充電台１及び携帯型バーコードリーダ２の電気的構成を概略的に示す機能ブロック図である。この図３において、充電台１は、電源回路１７、充電回路１８、充電検出回路１９、通信制御回路２０から構成されている。一方、携帯型バーコードリーダ２は、制御部８、エリアセンサ１３、警音部２１、通信回路２２、電源用の二次電池２３から構成されている。
充電台１において、充電回路１８は、電源回路１７からの給電状態で充電用端子４、受電用電極５を通じて充電台１に載置された携帯型バーコードリーダ２の二次電池２３に充電する。
【００１９】
通信制御回路２０は上位のパソコン２４と接続されており、携帯型バーコードリーダ２が読取ったコード情報をパソコン２４に送信するようになっている。
携帯型バーコードリーダ２において、二次電池２３は図示しない電源スイッチがオンに切換えられた状態で携帯型バーコードリーダ２の内部回路に給電すると共に、電源スイッチのオンオフ状態にかかわらず充電台１の充電回路１８により充電されるようになっている。
【００２０】
さて、本実施例では、上記構成の携帯型バーコードリーダ２は充電台１のセット位置への載置状態で保持されるように構成されており、その構成について説明する。
図５は充電台１の側面図、図６はその正面図である。これらの図５及び図６において、充電台１の図示上部には凹部２５が形成されており、携帯型バーコードリーダ２が充電台１のセット位置に載置された状態では、凹部２５に携帯型バーコードリーダ２の読取口部６ｂ（図１参照）が位置するようになっている。
【００２１】
携帯型バーコードリーダ２の読取口部６ｂの底面には三角形状の係合部２６（図１参照）が突出形成されていると共に、充電台１の凹部２５の内壁面において携帯型バーコードリーダ２の係合部２６に対応する部位には図７に示すように奥方となるほど図示下方（充電台１の後端側）となるように傾斜した係合受部２７が形成されており、携帯型バーコードリーダ２が充電台１のセット位置に載置された状態では、係合部２６が係合受部２７に引掛るようになっている。
【００２２】
一方、充電台１において、係合受部２７の図示下方となる部位及び充電用端子４の図示上方となる部位には吸着手段２８が設けられている。
図７は、吸着手段２８の構成を示している。この図７において、吸着手段２８は、永久磁石からなる吸着部（強磁性体に相当）２９を主体として構成されている。つまり、充電台１には外部と連通した空間部３０が形成されており、その空間部３０に吸着部２９が配設されている。この吸着部２９は、断面形状（正面から見た形状）が矩形状をなすと共に、両端にフランジ２９ａ（図７参照）を有しており、一方のフランジ２９ａが空間部３０に位置し、他方のフランジ２９ａが充電台１の外方に露出している、吸着部２９のフランジ２９ａ間の連結部２９ｂにはマイクロセルポリマー（通称ポロン）からなる弾性体３１が介装されており、これにより吸着部２９の抜け止めが図られている。この弾性体３１の弾性力は、後述するように吸着部２９が充電台１から突出しようとする際の力にほぼ相当するように設定されている。このような構成により、吸着部２９には、弾性体３１により奥方への弾性力が付与されており、所定範囲で軸方向に移動可能であると共に首振可能な状態である所謂遊びが付与されている。
【００２３】
図１に戻って、携帯型バーコードリーダ２の底面において読取口部６ｂと連なるケース６の端部及び受電用電極５の近傍には金属板からなる被吸着部（強磁性体に相当）３２が固定されており、携帯型バーコードリーダ２が充電台１にセットされた状態で吸着部２９に近接して対向するようになっている。この被吸着部３２としては、保磁力が小さい軟鋼板を用いるのが望ましい。これは、被吸着部３２が吸着部２９の磁力により磁化されてしまい、磁気カードなどに悪影響を与えてしまうことを防止するためである。
【００２４】
次に、上記構成の作用について説明する。
充電台１を壁掛けで使用したい場合は、図１に示すように充電台１を当該充電台１の長手方向がほぼ垂直方向を指向するように壁に設置する。携帯型バーコードリーダ２を充電台１のセット位置に載置するには、携帯型バーコードリーダ２の係合部２６を充電台１の係合受部２７に引掛けた状態で、携帯型バーコードリーダ２を充電台１に接近させる。すると、吸着部２９の吸着部２９から発生していた磁力が被吸着部３２に鎖交するようになるので、図９に示すように吸着部２９のフランジ２９ａに被吸着部３２が引き付けられるようになる。
【００２５】
ここで、吸着部２９は、弾性体３１により充電台１内に押し込まれているので、弾性体３１の弾性力に抗して充電台１から突出した状態で吸着部２９に吸着するようになる。この場合、吸着部２９は、弾性体３１により首振可能に支持されているので、吸着部２９が被吸着部３２に対して傾いているにしても、吸着部２９が被吸着部３２の表面に倣った状態で密着して吸着するようになる。
【００２６】
以上のようにして充電台１の吸着部２９が携帯型バーコードリーダ２の被吸着部３２に密着状態で吸着すると、携帯型バーコードリーダ２が充電台１のセット位置に保持され、充電台１の充電用端子４が携帯型バーコードリーダ２の受電用電極５に強く接触するようになる。また、このような吸着部２９による被吸着部３２に対する吸着状態では、係合受部２７に対して係合部２６が強く押し付けられるので、充電台１に対する携帯型バーコードリーダ２の保持力を高めることができる。
【００２７】
一方、充電台１が水平に設置されている場合は、充電台１のセット位置に携帯型バーコードリーダ２を載置すると、吸着部２９が被吸着部３２に吸着し、携帯型バーコードリーダ２が充電台１のセット位置に保持されるので、このようなセット方法であっても、充電台１の充電用端子４が携帯型バーコードリーダ２の受電用電極５に強く接触するようになると共に、充電台１に対する携帯型バーコードリーダ２の保持力を高めることができる。
【００２８】
このような実施例によれば、充電台１に遊びを有した吸着部２９を設けると共に、携帯型バーコードリーダ２に被吸着部３２を設け、携帯型バーコードリーダ２が充電台１のセット位置に載置された状態では、吸着部２９が被吸着部３２を引き付けるようにしたので、充電用端子４を携帯型バーコードリーダ２の受電用電極５に強く接触させることができる。従って、バーコード読取端末と充電台の充電用端子との間との接触が不安定となる虞があるものと違って、充電台１の設置方法にかかわらず充電台１のセット位置に載置された携帯型バーコードリーダ２に確実に充電することができる。
【００２９】
しかも、係合受部２７が充電台１の奥方となるにしたがって充電台１の後端側に傾斜するように形成し、吸着部２９が被吸着部３２を吸着した状態では、係合部２６が係合受部２７に強く押し付けられるようにしたので、充電台１に対する携帯型バーコードリーダ２の保持力を高めることができる。従って、充電台１に保持された携帯型バーコードリーダ２に比較的大きな力が作用するにしても、携帯型バーコードリーダ２が充電台１から外れてしまうことを防止できる。
【００３０】
尚、携帯型バーコードリーダ２の電源として、図１０に示すような電池パック３３を使用している場合は、図１１に示すように電池パック３３の受電用電極５から離れた位置に被吸着部３２を内蔵するか、または図１２に示すように被吸着部３２を表面が露出するように嵌め込むようにしてもよい。このような構成を採用した場合、電池パック３３単体で実施することが可能となる仕組みを提供することができる。
【００３１】
（第２実施例）
次に、本発明の第２実施例について図１３ないし図１６を参照して説明するに、第１実施例と同一部分には同一符号を付して説明を省略する。この第２実施例は、携帯型バーコードリーダ２を充電台１のセット位置にスライド移動可能に構成したことを特徴とする。
図１３は、充電台１のセット位置に携帯型バーコードリーダ２を位置しようとする状態を示し、図１４は、その状態における吸着部の断面を示している。また、図１５は、充電台１のセット位置に携帯型バーコードリーダ２を位置させた状態を示し、図１６は、その状態における吸着部の断面を示している。これらの図１３ないし図１６において、充電台１内には当該充電台１の長手方向に沿って延びる閉鎖空間部４２が形成されている。この閉鎖空間部４２には永久磁石からなる吸着部４３が配置されており、この吸着部４３が充電台１の長手方向に沿って移動可能となっている。
【００３２】
携帯型バーコードリーダ２を充電台１のセット位置に載置しようとすると、充電台１の吸着部４３が携帯型バーコードリーダ２の被吸着部３２を引き付けるので、携帯型バーコードリーダ２が充電台１に強く密着するようになる。この状態で、携帯型バーコードリーダ２の係合部２６が充電台１の係合受部２７に引掛かるようにスライド移動すると、その移動に伴って吸着部２９が充電台１の長手方向に沿って移動するので、吸着部２９による被吸着部３２に対する引き付け状態が維持される。
【００３３】
そして、携帯型バーコードリーダ２を充電台１のセット位置に位置すると、充電台１の充電用端子４が携帯型バーコードリーダ２の受電用電極５に強く接触するようになるので、両者の間の導通を確実に図ることができ、携帯型バーコードリーダ２を確実に充電することができる。
【００３４】
このような実施例によれば、吸着部２９を充電台１の長手方向に沿って移動可能に設け、吸着部２９が被吸着部３２を引き付けた状態で携帯型バーコードリーダ２をスライド移動可能としたので、携帯型バーコードリーダ２を充電台１のセット位置に確実に保持することができる。
しかも、このような充電台１に対して携帯型バーコードリーダ２をスライド移動可能としたことから、係合部２６が係合受部２７に確実に引掛かり、充電台１に対して携帯型バーコードリーダ２を確実に保持することができる。
【００３５】
（第３実施例）
次に、本発明の第３実施例について図１７ないし図２０を参照して説明するに、第２実施例と同一部分には同一符号を付して説明を省略する。この第３実施例は、携帯型バーコードリーダ２を充電台１のセット位置に機構的に保持するようにしたことを特徴とする。
図１７は、充電台１のセット位置に携帯型バーコードリーダ２を位置しようとする状態を示し、図１８は、その状態における吸着部の断面を示している。また、図１９は、充電台１のセット位置に携帯型バーコードリーダ２を位置させた状態を示し、図２０は、その状態における吸着部の断面を示している。これらの図１７ないし図２０において、携帯型バーコードリーダ２の後端部には引掛部５１が突出形成されていると共に、充電台１には携帯型バーコードリーダ２の引掛部５１と共に引掛手段を構成する凹状の引掛受部５２が形成されている。
【００３６】
一方、充電台１の閉鎖空間部４２に配置された吸着部２９は圧縮コイルスプリング（弾性圧縮手段に相当）５３により充電台１の先端側に付勢されている。
さて、携帯型バーコードリーダ２を充電台１のセット位置に位置すると、図１９に示すように吸着部４３が携帯型バーコードリーダ２の被吸着部３２を引き付ける。この状態で、携帯型バーコードリーダ２を図示下方（充電台１の後端側）に移動すると、それに伴って吸着部４３がスライド移動するので、圧縮コイルスプリング５３による弾性力により反対方向への付勢力が発生する。この付勢力は携帯型バーコードリーダ２にも作用するので、付勢力に抗して携帯型バーコードリーダ２を図示下方に移動し、携帯型バーコードリーダ２の引掛部５１を充電台１の引掛受部５２に引掛ける。すると、携帯型バーコードリーダ２は充電台１のセット位置に保持され、この保持状態では、吸着部２９が圧縮コイルスプリング５３の弾性力で充電台１の先端側に移動しようとするので、携帯型バーコードリーダ２には充電台１の先端側への付勢力が作用する。このとき、携帯型バーコードリーダ２の引掛部５１が充電台１の引掛受部５２に引掛かっているので、充電台１に対する携帯型バーコードリーダ２の保持力を高めることができる。
【００３７】
このような実施例によれば、携帯型バーコードリーダ２を吸着するための吸着部４３を圧縮コイルスプリング５３で付勢すると共に、引掛部５１を引掛受部５２に引掛けるようにしたので、吸着部４３により吸着された携帯型バーコードリーダ２を充電台１のセット位置に確実に保持することができる。従って、携帯型バーコードリーダ２を充電台１のセット位置に確実に保持することができるので、携帯型バーコードリーダ２に大きな力が作用するにしても、携帯型バーコードリーダ２が充電台１から外れてしまうことを防止できる。
【００３８】
（その他の実施例）
本発明は、上記実施例に限定されることなく、次のように変形または拡張できる。
図２１に示すように充電台１においてセット位置に載置された携帯型バーコードリーダ２の端部が当接する部位に吸着部２９を設けると共に、携帯型バーコードリーダ２の端部に被吸着部３２を設けるようにしてもよい。この場合、吸着部２９が被吸着部３２を吸着した状態では、携帯型バーコードリーダ２の係合部２６が充電台１の係合受部２７に一層強く押し付けられるので、携帯型バーコードリーダ２の充電台１のセット位置への保持力を高めることができる。
【００３９】
吸着部２９の断面形状（正面から見た形状）は、丸形状、楕円形状、正四角形状であってもよい。
被吸着部３２を永久磁石から構成するようにしてもよい。
吸着部２９及び被吸着部３２を一組だけ設けるようにしてもよい。
本発明を、読取口部６ｂにアンテナを有した非接触読取端末に適用するようにしてもよい。
【図面の簡単な説明】
【００４０】
【図１】本発明の第１実施例における全体を示す側面図
【図２】全体の正面図
【図３】全体の電気的構成を示す機能ブロック図
【図４】携帯型バーコードリーダの縦断面図
【図５】充電台の側面図
【図６】充電台の正面図
【図７】拡大して示す吸着部の断面図
【図８】携帯型バーコードリーダの近接状態で示す図７相当図
【図９】携帯型バーコードリーダの吸着状態で示す図７相当図
【図１０】変形例を示す携帯型バーコードリーダの側面図
【図１１】電池パックの斜視図
【図１２】異なる変形例を示す図１１相当図
【図１３】本発明の第２実施例におけるセット状態となる過程を示す図１相当図
【図１４】拡大して示す吸着部の縦断面図
【図１５】セット状態で示す図１３相当図
【図１６】図１４相当図
【図１７】本発明の第３実施例におけるセット状態となる過程を示す図１相当図
【図１８】拡大して示す吸着部の縦断面図
【図１９】セット状態で示す図１７相当図
【図２０】図１８相当図
【図２１】本発明の変形例を示す図１相当図
【符号の説明】
【００４１】
図面中、１は充電台、２は携帯型バーコードリーダ（携帯型読取情報端末）、６はケース、６ａは本体部、６ｂは読取口部、１３はエリアセンサ（撮像手段）、２６は係合部、２７は係合受部、２９は吸着部（強磁性体、永久磁石）、３０は空間部、３１は弾性体、３２は被吸着部、３３は電池パック、５１は引掛部（引掛手段）、５２は引掛受部（引掛手段）、５３は圧縮コイルスプリング（弾性圧縮手段）である。
【図１】
2006246566.tif 000003
【図２】
2006246566.tif 000004
【図３】
2006246566.tif 000005
【図４】
2006246566.tif 000006
【図５】
2006246566.tif 000007
【図６】
2006246566.tif 000008
【図７】
2006246566.tif 000009
【図８】
2006246566.tif 000010
【図９】
2006246566.tif 000011
【図１０】
2006246566.tif 000012
【図１１】
2006246566.tif 000013
【図１２】
2006246566.tif 000014
【図１３】
2006246566.tif 000015
【図１４】
2006246566.tif 000016
【図１５】
2006246566.tif 000017
【図１６】
2006246566.tif 000018
【図１７】
2006246566.tif 000019
【図１８】
2006246566.tif 000020
【図１９】
2006246566.tif 000021
【図２０】
2006246566.tif 000022
【図２１】
2006246566.tif 000023